(57)【特許請求の範囲】
【請求項１】
３ＧＰＰ規格で規定されるＭＤＴに対応した移動通信システムにおいて、前記ＭＤＴによる測定処理を実施すべき測定実施端末を複数の無線端末の中からネットワーク装置が選択するための端末選択方法であって、
前記複数の無線端末毎に、在圏したエリアを示す情報と該エリアでの在圏時間を示す情報とを対応付けた在圏履歴情報を記憶する記憶ステップと、
前記記憶ステップで記憶された前記在圏履歴情報に基づいて、前記複数の無線端末のうち、前記測定処理の対象となる測定対象エリアに対応する在圏時間が相対的に長い無線端末を、前記測定実施端末として選択する選択ステップと、
を有することを特徴とする端末選択方法。
【請求項２】
前記記憶ステップは、
前記複数の無線端末のそれぞれから送信されるトラッキングエリア更新情報を受信するステップと、
該受信したトラッキングエリア更新情報に基づいて前記在圏履歴情報を更新するステップと、
を含むことを特徴とする請求項１に記載の端末選択方法。
【請求項３】
前記記憶ステップは、前記複数の無線端末のそれぞれにおいて前記在圏履歴情報を記憶するステップを含み、
前記選択ステップは、前記複数の無線端末のそれぞれにおいて記憶した前記在圏履歴情報を収集するステップを含むことを特徴とする請求項１に記載の端末選択方法。
【請求項４】
前記複数の無線端末のそれぞれについて、前記測定処理を実施した回数を管理する管理ステップをさらに有し、
前記選択ステップは、前記記憶ステップで記憶された前記在圏履歴情報と、前記管理ステップで管理されている情報とに基づいて、前記測定対象エリアに対応する在圏時間が相対的に長い無線端末であって、前記測定処理を実施した回数が相対的に少ない無線端末を、前記測定実施端末として選択することを特徴とする請求項１〜３の何れか一項に記載の端末選択方法。
【請求項５】
前記複数の無線端末のそれぞれについて、前記測定処理を実施した期間を管理する管理ステップをさらに有し、
前記選択ステップは、前記記憶ステップで記憶された前記在圏履歴情報と、前記管理ステップで管理されている情報とに基づいて、前記測定対象エリアに対応する在圏時間が相対的に長い無線端末であって、前記測定処理を実施した期間が相対的に短い無線端末を、前記測定実施端末として選択することを特徴とする請求項１〜３の何れか一項に記載の端末選択方法。
【請求項６】
前記複数の無線端末のそれぞれについて、前記測定処理を実施した回数を管理する管理ステップと、
前記選択ステップにより選択された前記測定実施端末に対して、前記管理ステップで管理されている情報に基づいて、前記測定処理を実施すべき期間を設定する設定ステップと、
をさらに有し、
前記設定ステップは、前記選択ステップにより選択された前記測定実施端末が前記測定処理を実施した回数が多い場合に、前記測定処理を実施すべき期間を短縮して設定することを特徴とする請求項１〜３の何れか一項に記載の端末選択方法。
【請求項７】
前記複数の無線端末のそれぞれについて、前記測定処理を実施した期間を管理する管理ステップと、
前記選択ステップにより選択された前記測定実施端末に対して、前記管理ステップで管理されている情報に基づいて、前記測定処理を実施すべき期間を設定する設定ステップと、
をさらに有し、
前記設定ステップは、前記選択ステップにより選択された前記測定実施端末が前記測定処理を実施した期間が長い場合に、前記測定処理を実施すべき期間を短縮して設定することを特徴とする請求項１〜３の何れか一項に記載の端末選択方法。
【請求項８】
３ＧＰＰ規格で規定されるＭＤＴに対応した移動通信システムにおいて、前記ＭＤＴによる測定処理を実施すべき測定実施端末を複数の無線端末の中から選択するネットワーク装置であって、
前記複数の無線端末毎に在圏したエリアを示す情報と該エリアでの在圏時間を示す情報とを対応付けた在圏履歴情報に基づいて、前記複数の無線端末のうち、前記測定処理の対象となる測定対象エリアに対応する在圏時間が相対的に長い無線端末を、前記測定実施端末として選択するように構成されていることを特徴とするネットワーク装置。
【請求項９】
３ＧＰＰ規格で規定されるＭＤＴに対応した移動通信システムの無線端末であって、
前記ＭＤＴによる測定処理を実施すべき測定実施端末をネットワーク装置が選択するために、自端末が在圏したエリアを示す情報と該エリアでの在圏時間を示す情報とを対応付けた在圏履歴情報を、前記ネットワーク装置に対して通知するように構成されていることを特徴とする無線端末。
【発明の詳細な説明】
【技術分野】
【０００１】
本発明は、３ＧＰＰ規格で規定されるＭＤＴに対応した移動通信システムにおける端末選択方法、ネットワーク装置、及び無線端末に関する。
【背景技術】
【０００２】
移動通信システムでは、基地局の周辺にビルが建設されたり、当該基地局の周辺基地局の設置状況が変化したりすると、当該基地局に係る無線環境が変化する。このため、従来では、オペレータにより、測定機材を搭載した測定用車両を使用し、無線環境を測定して測定結果及び位置情報を収集するドライブテストが行われている。
【０００３】
このような測定及び収集は、例えば基地局における設定を最適化することに貢献できるが、工数が多く、且つ費用が高いという課題がある。
【０００４】
そこで、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ユーザが所持する無線端末を使用して、当該測定及び収集を自動化する技術であるＭＤＴ（Ｍｉｎｉｍｉｚａｔｉｏｎ  ｏｆ  Ｄｒｉｖｅ  Ｔｅｓｔ）の仕様策定が進められている（非特許文献１参照）。
【０００５】
ＭＤＴの一種として、記憶型ＭＤＴ（以下、適宜Ｌｏｇｇｅｄ  ＭＤＴと称する）がある。Ｌｏｇｇｅｄ  ＭＤＴは、アイドル状態の無線端末が、ネットワークから設定された測定パラメータに従って無線環境の測定を行い、該測定の結果を位置情報及び時間情報と共に測定データとして記憶する。そして、無線端末は、接続状態（通信中状態）に移行した後、測定データを後でネットワークに報告する。
【先行技術文献】
【非特許文献】
【０００６】
【非特許文献１】３ＧＰＰ技術仕様  ＴＳ  ３７．３２０ ｖ０．７．０
【発明の概要】
【発明が解決しようとする課題】
【０００７】
しかしながら、現状の３ＧＰＰ規格においては、ＭＤＴによる測定処理を実施すべき無線端末（測定実施端末）を選択する方法について規定がなく、測定実施端末を適切に選択できないという問題があった。
【０００８】
そこで、本発明は、ＭＤＴによる測定処理を実施すべき無線端末を適切に選択できる端末選択方法、ネットワーク装置、及び無線端末を提供することを目的とする。
【課題を解決するための手段】
【０００９】
上述した課題を解決するために、本発明は以下のような特徴を有している。
【００１０】
まず、本発明に係る端末選択方法の特徴は、３ＧＰＰ規格で規定されるＭＤＴに対応した移動通信システム（移動通信システム１）において、前記ＭＤＴによる測定処理を実施すべき測定実施端末を複数の無線端末（無線端末ＵＥ）の中からネットワーク装置（例えば、モビリティ管理装置ＭＭＥ又は保守監視装置ＯＡＭ）が選択するための端末選択方法であって、前記複数の無線端末毎に、在圏したエリアを示す情報と該エリアでの在圏時間を示す情報とを対応付けた在圏履歴情報を記憶する記憶ステップと、前記記憶ステップで記憶された前記在圏履歴情報に基づいて、前記複数の無線端末のうち、前記測定処理の対象となる測定対象エリアに対応する在圏時間が相対的に長い無線端末を、前記測定実施端末として選択する選択ステップと、を有することを要旨とする。
【００１１】
このような特徴によれば、在圏履歴情報に基づいて、複数の無線端末のうち、測定対象エリアに在圏する可能性が高い無線端末、すなわち、測定対象エリアについての測定データが得られる可能性の高い無線端末を測定実施端末として選択できる。したがって、測定対象エリアにおける測定データを効果的に収集できる。
【００１２】
本発明に係る端末選択方法の他の特徴は、上述した特徴において、前記記憶ステップは、前記複数の無線端末のそれぞれから送信されるトラッキングエリア更新情報を受信するステップと、該受信したトラッキングエリア更新情報に基づいて前記在圏履歴情報を更新するステップと、を含むことを要旨とする。
【００１３】
このような特徴によれば、既存のシグナリングの一つであるトラッキングエリア更新情報を利用して在圏履歴情報を記憶できるため、在圏履歴情報を記憶するための新たなシグナリング（すなわち、オーバーヘッド）が生じることを防止できる。
【００１４】
本発明に係る端末選択方法の他の特徴は、上述した特徴において、前記記憶ステップは、前記複数の無線端末のそれぞれにおいて前記在圏履歴情報を記憶するステップを含み、前記選択ステップは、前記複数の無線端末のそれぞれにおいて記憶した前記在圏履歴情報を収集するステップを含むことを要旨とする。
【００１５】
このような特徴によれば、無線端末側で在圏履歴情報を記憶することによって、ネットワーク側の負荷を軽減できる。また、ネットワーク側で在圏履歴情報を記憶する場合と比較して、例えばセル単位といったように、より細かなエリア単位で在圏履歴情報を記憶できる。
【００１６】
本発明に係る端末選択方法の他の特徴は、上述した特徴において、前記複数の無線端末のそれぞれについて、前記測定処理を実施した回数を管理する管理ステップをさらに有し、前記選択ステップは、前記記憶ステップで記憶された前記在圏履歴情報と、前記管理ステップで管理されている情報とに基づいて、前記測定対象エリアに対応する在圏時間が相対的に長い無線端末であって、前記測定処理を実施した回数が相対的に少ない無線端末を、前記測定実施端末として選択することを要旨とする。
【００１７】
このような特徴によれば、ＭＤＴによる測定処理を実施した回数が少ない無線端末、すなわち、ＭＤＴよる負荷が相対的に低い無線端末を測定実施端末として選択できるため、無線端末間（ユーザ間）の公平性を高めることができる。
【００１８】
本発明に係る端末選択方法の他の特徴は、上述した特徴において、前記複数の無線端末のそれぞれについて、前記測定処理を実施した期間を管理する管理ステップをさらに有し、前記選択ステップは、前記記憶ステップで記憶された前記在圏履歴情報と、前記管理ステップで管理されている情報とに基づいて、前記測定対象エリアに対応する在圏時間が相対的に長い無線端末であって、前記測定処理を実施した期間が相対的に短い無線端末を、前記測定実施端末として選択することを要旨とする。
【００１９】
このような特徴によれば、ＭＤＴによる測定処理を実施した期間が短い無線端末、すなわち、ＭＤＴよる負荷が相対的に低い無線端末を測定実施端末として選択できるため、無線端末間（ユーザ間）の公平性を高めることができる。
【００２０】
本発明に係る端末選択方法の他の特徴は、上述した特徴において、前記複数の無線端末のそれぞれについて、前記測定処理を実施した回数を管理する管理ステップと、前記選択ステップにより選択された前記測定実施端末に対して、前記管理ステップで管理されている情報に基づいて、前記測定処理を実施すべき期間を設定する設定ステップと、をさらに有し、前記設定ステップは、前記選択ステップにより選択された前記測定実施端末が前記測定処理を実施した回数が多い場合に、前記測定処理を実施すべき期間を短縮して設定することを要旨とする。
【００２１】
このような特徴によれば、ＭＤＴによる測定処理を実施した回数が多い無線端末、すなわち、ＭＤＴよる負荷が相対的に高い無線端末に対する測定期間を短縮することによって、無線端末間（ユーザ間）の公平性を高めることができる。
【００２２】
本発明に係る端末選択方法の他の特徴は、上述した特徴において、前記複数の無線端末のそれぞれについて、前記測定処理を実施した期間を管理する管理ステップと、前記選択ステップにより選択された前記測定実施端末に対して、前記管理ステップで管理されている情報に基づいて、前記測定処理を実施すべき期間を設定する設定ステップと、をさらに有し、前記設定ステップは、前記選択ステップにより選択された前記測定実施端末が前記測定処理を実施した期間が長い場合に、前記測定処理を実施すべき期間を短縮して設定することを要旨とする。
【００２３】
このような特徴によれば、ＭＤＴによる測定処理を実施した期間が長い無線端末、すなわち、ＭＤＴよる負荷が相対的に高い無線端末に対する測定期間を短縮することによって、無線端末間（ユーザ間）の公平性を高めることができる。
【００２４】
本発明に係るネットワーク装置の特徴は、３ＧＰＰ規格で規定されるＭＤＴに対応した移動通信システムにおいて、前記ＭＤＴによる測定処理を実施すべき測定実施端末を複数の無線端末の中から選択するネットワーク装置であって、前記複数の無線端末毎に在圏したエリアを示す情報と該エリアでの在圏時間を示す情報とを対応付けた在圏履歴情報に基づいて、前記複数の無線端末のうち、前記測定処理の対象となる測定対象エリアに対応する在圏時間が相対的に長い無線端末を、前記測定実施端末として選択するように構成されていることを要旨とする。
【００２５】
本発明に係る無線端末の特徴は、３ＧＰＰ規格で規定されるＭＤＴに対応した移動通信システムの無線端末であって、前記ＭＤＴによる測定処理を実施すべき測定実施端末をネットワーク装置が選択するために、自端末が在圏したエリアを示す情報と該エリアでの在圏時間を示す情報とを対応付けた在圏履歴情報を前記ネットワーク装置に対して通知するように構成されていることを要旨とする。
【発明の効果】
【００２６】
本発明によれば、ＭＤＴによる測定処理を実施すべき無線端末を適切に選択できる端末選択方法、ネットワーク装置、及び無線端末を提供できる。
【図面の簡単な説明】
【００２７】
【図１】第１実施形態〜第３実施形態に係る移動通信システムの全体構成図である。
【図２】無線端末のブロック図である。
【図３】モビリティ管理装置のブロック図である。
【図４】在圏履歴情報の構成例を示す図である。
【図５】Ｌｏｇｇｅｄ  ＭＤＴ実施回数情報の構成例を示す図である。
【図６】第１実施形態においてＬｏｇｇｅｄ  ＭＤＴ実施端末を選択する動作に係る動作シーケンス図である。
【図７】第１実施形態に係る端末選択処理の処理フロー図である。
【図８】Ｌｏｇｇｅｄ  ＭＤＴ実施時の動作シーケンス図である。
【図９】第１実施形態の第１変更例に係る端末選択処理の処理フロー図である。
【図１０】第１実施形態の第２変更例に係る端末選択処理の処理フロー図である。
【図１１】第１実施形態の第３変更例に係る端末選択処理の処理フロー図である。
【図１２】保守監視装置ＯＡＭのブロック図である。
【図１３】第２実施形態においてＬｏｇｇｅｄ  ＭＤＴ実施端末を選択する動作に係る動作シーケンス図である。
【図１４】第３実施形態においてＬｏｇｇｅｄ  ＭＤＴ実施端末を選択する動作に係る動作シーケンス図である。
【発明を実施するための形態】
【００２８】
図面を参照して、本発明の第１実施形態〜第３実施形態、及びその他の実施形態を説明する。以下の各実施形態における図面において、同一又は類似の部分には同一又は類似の符号を付す。
【００２９】
［第１実施形態］
（移動通信システムの構成）
図１は、本実施形態に係る移動通信システム１の全体構成図である。本実施形態に係る移動通信システム１は、３ＧＰＰで仕様が策定されているＬＴＥ（Ｌｏｎｇ  Ｔｅｒｍ  Ｅｖｏｌｕｔｉｏｎ）又はＬＴＥ−Ａｄｖａｎｃｅｄに基づいて構成されており、上述したＬｏｇｇｅｄ  ＭＤＴをサポートする。
【００３０】
図１に示すように、移動通信システム１は、複数の無線端末ＵＥと、複数の基地局ｅＮＢと、複数のモビリティ管理装置ＭＭＥ／ゲートウェイ装置Ｓ−ＧＷと、保守監視装置ＯＡＭと、を有する。
【００３１】
各無線端末ＵＥは、ユーザが所持する可搬型の無線通信装置である。無線端末ＵＥは、基地局ｅＮＢに接続し、該基地局ｅＮＢを介して通信先との通信を実行可能に構成される。無線端末ＵＥが通信実行中の状態は接続状態と称され、無線端末ＵＥが待ち受け中の状態はアイドル状態と称される。
【００３２】
各基地局ｅＮＢは、オペレータによって設置される固定型の無線通信装置であり、無線端末ＵＥとの無線通信を行うように構成される。各基地局ｅＮＢは、他の基地局ｅＮＢとの通信、及びモビリティ管理装置ＭＭＥ／ゲートウェイ装置Ｓ−ＧＷとの通信を、バックホールを介して行う。複数の基地局ｅＮＢは、無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を構成する。
【００３３】
各基地局ｅＮＢは、無線通信エリアの最小単位であるセルを１つ又は複数形成する。
【００３４】
無線端末ＵＥは、移動に伴って、在圏するセルを切り替える。無線端末ＵＥが接続状態時のセル切り替えはハンドオーバと称され、無線端末ＵＥがアイドル状態時のセル切り替えはセルリセレクションと称される。
【００３５】
移動通信システム１では、１つ又は複数のセルによって１つのトラッキングエリア（ＴＡ）が構成される。ＴＡとは、位置登録及びページングを行うエリア単位である。無線端末ＵＥは、在圏するＴＡが切り替わったことを検知すると、トラッキングエリア更新要求であるＴＡＵ  ＲｅｑｕｅｓｔをＥ−ＵＴＲＡＮに送信する。
【００３６】
モビリティ管理装置ＭＭＥは、無線端末ＵＥが在圏するＴＡを管理しており、無線端末ＵＥに対する各種モビリティ管理を行うように構成される。本実施形態においてモビリティ管理装置ＭＭＥは、Ｌｏｇｇｅｄ  ＭＤＴによる測定処理を実施すべきＬｏｇｇｅｄ  ＭＤＴ実施端末を複数の無線端末ＵＥの中から選択するネットワーク装置に相当する。
【００３７】
ゲートウェイ装置Ｓ−ＧＷは、無線端末ＵＥが送受信するユーザデータの転送制御を行うように構成される。
【００３８】
保守監視装置ＯＡＭは、オペレータによって設置されるサーバ装置であり、Ｅ−ＵＴＲＡＮの保守及び監視を行うように構成される。
【００３９】
無線端末ＵＥの接続先の基地局ｅＮＢは、移動管理装置ＭＭＥ又は保守監視装置ＯＡＭからの指示に応じて、Ｌｏｇｇｅｄ  ＭＤＴを無線端末ＵＥに設定するメッセージであるＩｄｌｅ  ＭＤＴ  Ｃｏｎｆｉｇｕｒａｔｉｏｎを無線端末ＵＥに送信する。
【００４０】
Ｌｏｇｇｅｄ  ＭＤＴを行うよう設定された無線端末ＵＥは、アイドル状態においてＥ−ＵＴＲＡＮからの受信信号状態を測定して記録（ロギング）し、アイドル状態から接続状態に移行した後に測定データをＥ−ＵＴＲＡＮに報告する。
【００４１】
受信信号状態とは、例えば参照信号受信電力（ＲＳＲＰ）や参照信号受信品質（ＲＳＲＱ）である。測定データは、受信信号状態の測定結果に加えて、測定時の位置情報と測定時の時間情報とを含む。位置情報とは、無線端末ＵＥがＧＰＳ機能を有している場合にはＧＰＳ位置情報であり、無線端末ＵＥがＧＰＳ機能を有していない場合にはＲＦフィンガープリント情報である。
【００４２】
無線端末ＵＥからの測定データを受信した基地局ｅＮＢは、受信した測定データを保守監視装置ＯＡＭに転送する。保守監視装置ＯＡＭは、このようにして得られた測定データに基づいてカバレッジ問題を発見すると、発見したカバレッジ問題を、オペレータに通知する、もしくは解消するためのネットワーク最適化を行う。
【００４３】
（無線端末ＵＥの構成）
次に、無線端末ＵＥの構成を説明する。図２は、無線端末ＵＥのブロック図である。本実施形態では、無線端末ＵＥがＧＰＳ機能を有する構成を説明する。
【００４４】
図２に示すように、無線端末ＵＥは、アンテナ１０１と、無線通信部１１０と、ＧＰＳ受信機１２０と、記憶部１３０と、制御部１４０と、ＵＳＩＭ（Ｕｎｉｖｅｒｓａｌ  Ｓｕｂｓｃｒｉｂｅｒ  Ｉｄｅｎｔｉｆｉｃａｔｉｏｎ  Ｍｏｄｕｌｅ）カード１５０と、バッテリ１６０と、を有する。
【００４５】
アンテナ１０１は、無線信号の送受信に用いられる。無線通信部１１０は、例えば無線周波数（ＲＦ）回路やベースバンド（ＢＢ）回路等を用いて構成されており、アンテナ１０１を介して無線通信を行うように構成される。
【００４６】
送信については、無線通信部１１０は、制御部１４０から入力される送信信号の符号化及び変調を行った後、アップコンバート及び増幅を行ってアンテナ１０１に出力する。
【００４７】
受信については、無線通信部１１０は、アンテナ１０１から入力される受信信号の増幅及びダウンコンバートを行った後、復調及び復号を行って制御部１４０に出力する。
【００４８】
また、無線通信部１１０は、Ｅ−ＵＴＲＡＮから無線通信部１１０が受信した参照信号のＲＳＲＰ／ＲＳＲＱを測定し、測定したＲＳＲＰ／ＲＳＲＱを制御部１４０に出力する。
【００４９】
ＧＰＳ受信機１２０は、ＧＰＳ衛星からの信号を受信し、ＧＰＳ位置情報を制御部１４０に出力する。
【００５０】
ＵＳＩＭカード１５０は、無線端末ＵＥのユーザ（加入者）を識別するための識別情報であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を記憶する。一般的にＵＳＩＭカード１５０は、特定の無線端末ＵＥに挿入されて使用されるため、本実施形態では、ＩＭＳＩにより無線端末ＵＥを識別する。
【００５１】
記憶部１３０は、例えばメモリを用いて構成され、無線端末ＵＥの制御等に用いられる各種の情報を記憶する。記憶部１３０は、自端末が在圏しているＴＡの識別情報（ＴＡＩ）を記憶する。
【００５２】
制御部１４０は、例えばＣＰＵを用いて構成され、無線端末ＵＥが備える各種の機能を制御する。
【００５３】
本実施形態では、制御部１４０は、記憶部１３０に記憶されているＴＡＩと無線通信部１１０がＥ−ＵＴＲＡＮから受信した無線信号に含まれる新たなＴＡＩとを比較する。そして、制御部１４０は、各ＴＡＩが不一致である場合に、当該新たなＴＡＩを含んだＴＡＵ  ＲｅｑｕｅｓｔをＥ−ＵＴＲＡＮに送信するよう無線通信部１１０を制御する。その際、制御部１４０は、ＵＳＩＭカード１５０に記憶されているＩＭＳＩをＴＡＵ  Ｒｅｑｕｅｓｔに含めて送信するよう制御する。
【００５４】
また、制御部１４０は、無線通信部１１０がＥ−ＵＴＲＡＮからＩｄｌｅ  ＭＤＴ  Ｃｏｎｆｉｇｕｒａｔｉｏｎを受信すると、Ｉｄｌｅ  ＭＤＴ  Ｃｏｎｆｉｇｕｒａｔｉｏｎに含まれる各パラメータを記憶部１３０に記憶させる。これらのパラメータは、測定対象、測定トリガ、測定対象エリア、及び測定期間を含む。
【００５５】
測定対象は、Ｌｏｇｇｅｄ  ＭＤＴに係る測定を行うべき周波数帯を指定するものである。
【００５６】
測定トリガは、Ｌｏｇｇｅｄ  ＭＤＴに係る測定を行うべきトリガ（契機）を指定するものである。測定トリガは、周期的な測定を指定するものであってもよい。
【００５７】
測定対象エリアは、Ｌｏｇｇｅｄ  ＭＤＴに係る測定を行うべきエリアをセル単位又はＴＡ単位で指定するものである。本実施形態では、測定対象エリアは、主としてＴＡ単位で指定される。
【００５８】
測定期間は、Ｌｏｇｇｅｄ  ＭＤＴに係る測定を行うべき期間を指定するものである。
【００５９】
制御部１４０は、Ｉｄｌｅ  ＭＤＴ  Ｃｏｎｆｉｇｕｒａｔｉｏｎを受信した後、アイドル状態に移行した場合、記憶部１３０に記憶されている各パラメータに従って、Ｌｏｇｇｅｄ  ＭＤＴによる測定処理を行う。
【００６０】
詳細には、制御部１４０は、測定期間内に測定対象エリアに在圏している場合において、測定トリガに応じた事象が発生すると、測定対象の周波数帯に対する測定を行うよう制御する。そして、制御部１４０は、測定を行った際の位置情報及び時間情報を取得し、測定結果と位置情報と時間情報とを対応付けた測定データを作成し、作成した測定データを記憶部１３０に記憶させる。
【００６１】
制御部１４０は、記憶部１３０に測定データが記憶されている場合であって、アイドル状態から接続状態への移行が完了した際に、測定データを保持していることを示すＩｎｄｉｃａｔｉｏｎを、アイドル状態から接続状態への移行が完了したことを示すメッセージであるＲＲＣ  Ｃｏｎｎｅｃｔｉｏｎ  Ｓｅｔｕｐ  Ｃｏｍｐｌｅｔｅに含めてＥ−ＵＴＲＡＮに送信するよう制御する。そして、測定データの送信をＥ−ＵＴＲＡＮから要求されると、制御部１４０は、記憶部１３０に記憶されている測定データをＥ−ＵＴＲＡＮに送信する。
【００６２】
（モビリティ管理装置ＭＭＥの構成）
次に、モビリティ管理装置ＭＭＥの構成を説明する。図３は、モビリティ管理装置ＭＭＥのブロック図である。
【００６３】
図３に示すように、モビリティ管理装置ＭＭＥは、ネットワーク通信部２１０と、記憶部２２０と、制御部２３０とを有する。
【００６４】
ネットワーク通信部２１０は、Ｅ−ＵＴＲＡＮに含まれる各基地局ｅＮＢとの通信、及び保守監視装置ＯＡＭとの通信を行う。
【００６５】
記憶部２２０は、例えばメモリを用いて構成され、モビリティ管理装置ＭＭＥの制御等に用いられる各種の情報を記憶する。本実施形態では、記憶部２２０は、在圏履歴情報とＬｏｇｇｅｄ  ＭＤＴ実施回数情報とを記憶する。
【００６６】
図４は、在圏履歴情報の構成例を示す図である。
【００６７】
図４に示すように、在圏履歴情報は、複数の無線端末Ａ〜ＤのＩＭＳＩ毎に、在圏したＴＡを示す情報としてのＴＡＩと、該ＴＡでの在圏時間を示す情報としての在圏開始時刻とを対応付けたものである。
【００６８】
例えば、無線端末Ａについては、ＴＡＩ＃０によって示されるＴＡに２０１１年３月２８日のＸＸ時ＸＸ分ＸＸ秒に在圏開始し、ＴＡＩ＃９によって示されるＴＡに２０１１年３月２８日のＹＹ時ＹＹ分ＹＹ秒に在圏開始し、ＴＡＩ＃３によって示されるＴＡに２０１１年３月２８日のＺＺ時ＺＺ分ＺＺ秒に在圏開始したことが記憶されている。
【００６９】
ここで、無線端末Ａが、ＴＡＩ＃０によって示されるＴＡから、ＴＡＩ＃９によって示されるＴＡに移行（移動）したとすると、ＴＡＩ＃０によって示されるＴＡでの在圏時間は、ＸＸ時ＸＸ分ＸＸ秒とＹＹ時ＹＹ分ＹＹ秒との差分によって求められる。
【００７０】
図５は、Ｌｏｇｇｅｄ  ＭＤＴ実施回数情報の構成例を示す図である。
【００７１】
図５に示すように、Ｌｏｇｇｅｄ  ＭＤＴ実施回数情報は、複数の無線端末Ａ〜ＤのＩＭＳＩ毎に、Ｌｏｇｇｅｄ  ＭＤＴを実施した回数を対応付けたものである。例えば、無線端末ＡのＩＭＳＩについては、Ｌｏｇｇｅｄ  ＭＤＴを５回実施したと記憶されている。
【００７２】
制御部２３０は、例えばＣＰＵを用いて構成され、モビリティ管理装置ＭＭＥが備える各種の機能を制御する。
【００７３】
図３に示すように、制御部２３０は、ネットワーク通信部２１０が受信するＴＡＵ  Ｒｅｑｕｅｓｔに基づいて在圏履歴情報を更新する。ＴＡＵ  Ｒｅｑｕｅｓｔは、無線端末ＵＥから送信され、基地局ｅＮＢによってモビリティ管理装置ＭＭＥに中継される。
【００７４】
ＴＡＵ  Ｒｅｑｕｅｓｔは、当該ＴＡＵ  Ｒｅｑｕｅｓｔを送信した無線端末ＵＥのＩＭＳＩと、当該無線端末ＵＥが新たに在圏したＴＡのＴＡＩとを含む。制御部２３０は、ネットワーク通信部２１０が受信したＴＡＵ  Ｒｅｑｕｅｓｔに含まれるＩＭＳ及びＴＡＩを対応付けて記憶部２２０に記憶するとともに、ネットワーク通信部２１０がＴＡＵ  Ｒｅｑｕｅｓｔを受信した時刻を在圏開始時刻として当該ＩＭＳ及びＴＡＩと対応付けて記憶部２２０に記憶する。
【００７５】
なお、ＴＡＵ  Ｒｅｑｕｅｓｔに時刻情報が含まれている場合には、当該時刻情報を在圏開始時刻として記憶してもよい。また、在圏履歴情報は最近の情報の方が有効であるため、制御部２３０は、ある一定期間（１日間又は１週間）を経過した在圏履歴情報を削除することが好ましい。
【００７６】
制御部２３０は、Ｌｏｇｇｅｄ  ＭＤＴ実施回数情報を管理する。詳細には、制御部２３０は、ある無線端末ＵＥをＬｏｇｇｅｄ  ＭＤＴ実施端末として決定してＬｏｇｇｅｄ  ＭＤＴを実施した場合に、当該無線端末ＵＥのＩＭＳＩに対応するＬｏｇｇｅｄ  ＭＤＴ実施回数をインクリメント（１を加算）する。
【００７７】
なお、Ｌｏｇｇｅｄ  ＭＤＴを実施した無線端末ＵＥに関する情報を保守監視装置ＯＡＭから得られる場合には、制御部２３０は、当該情報に基づいてＬｏｇｇｅｄ  ＭＤＴ実施回数情報を更新してもよい。また、Ｌｏｇｇｅｄ  ＭＤＴ実施回数はカウントに限りがあるため、制御部２３０は、ある一定期間（１日間又は１週間）を経過したタイミング、又はＬｏｇｇｅｄ  ＭＤＴを実施した無線端末ＵＥがある程度一巡したタイミングで、Ｌｏｇｇｅｄ  ＭＤＴ実施回数情報を削除することが好ましい。
【００７８】
制御部２３０は、ある測定対象エリアに対してＬｏｇｇｅｄ  ＭＤＴを実施すると決定した場合、又は、ある測定対象エリアに対してＬｏｇｇｅｄ  ＭＤＴを実施するよう保守監視装置ＯＡＭから指示された場合に、当該測定対象エリアと、記憶部２２０に記憶されている在圏履歴情報及びＬｏｇｇｅｄ  ＭＤＴ実施回数情報とに基づいて、Ｌｏｇｇｅｄ  ＭＤＴ実施端末を選択する。
【００７９】
詳細には、制御部２３０は、複数の無線端末Ａ〜Ｄのうち、測定対象エリアに対応する在圏時間が相対的に長い無線端末ＵＥであって、Ｌｏｇｇｅｄ  ＭＤＴを実施した回数が相対的に少ない無線端末ＵＥを、Ｌｏｇｇｅｄ  ＭＤＴ実施端末として選択する。
【００８０】
制御部２３０は、Ｌｏｇｇｅｄ  ＭＤＴ実施端末を選択すると、当該Ｌｏｇｇｅｄ  ＭＤＴ実施端末に対し、Ｅ−ＵＴＲＡＮを介して、Ｌｏｇｇｅｄ  ＭＤＴを設定するためのＩｄｌｅ  ＭＤＴ  Ｃｏｎｆｉｇｕｒａｔｉｏｎを送信する。
【００８１】
（移動通信システムの動作）
図６は、第１実施形態においてＬｏｇｇｅｄ  ＭＤＴ実施端末を選択する動作に係る動作シーケンス図である。
【００８２】
図６に示すように、ステップＳ１１０において、無線端末ＵＥは、在圏するＴＡが切り替わったことを検知した後、ＴＡが切り替わったことを通知するためのＴＡＵ  ＲｅｑｕｅｓｔをＥ−ＵＴＲＡＮに送信する。Ｅ−ＵＴＲＡＮは、ＴＡＵ  Ｒｅｑｕｅｓｔを受信する。上述したように、ＴＡＵ  Ｒｅｑｕｅｓｔは、無線端末ＵＥのＩＭＳＩと、当該無線端末ＵＥが新たに在圏したＴＡのＴＡＩとを含む。
【００８３】
ステップＳ１２０において、Ｅ−ＵＴＲＡＮは、ＴＡＵ  Ｒｅｑｕｅｓｔをモビリティ管理装置ＭＭＥに中継する。モビリティ管理装置ＭＭＥは、ＴＡＵ  Ｒｅｑｕｅｓｔを受信する。
【００８４】
ステップＳ１３０において、モビリティ管理装置ＭＭＥは、受信したＴＡＵ  Ｒｅｑｕｅｓｔに含まれるＩＭＳＩ及びＴＡＩを、時間情報と対応付けて記憶することによって、在圏履歴情報を更新する。
【００８５】
ステップＳ１４０において、モビリティ管理装置ＭＭＥは、ＴＡＵ  Ｒｅｑｕｅｓｔを受理した旨のメッセージであるＴＡＵ  Ａｃｃｅｐｔを、Ｅ−ＵＴＲＡＮを介して無線端末ＵＥに送信する。無線端末ＵＥは、ＴＡＵ  Ａｃｃｅｐｔを受信する。
【００８６】
ステップＳ１１０〜ステップＳ１４０の処理が繰り返されることによって、モビリティ管理装置ＭＭＥに在圏履歴情報が蓄積され、各無線端末ＵＥの移動パターン（すなわち、ユーザの行動パターン）が把握可能になる。
【００８７】
ステップＳ１５０において、モビリティ管理装置ＭＭＥは、ある測定対象エリアに対してＬｏｇｇｅｄ  ＭＤＴを実施すると決定した場合、又は、ある測定対象エリアに対してＬｏｇｇｅｄ  ＭＤＴを実施するよう保守監視装置ＯＡＭから指示された場合に、当該測定対象エリアと、在圏履歴情報及びＬｏｇｇｅｄ  ＭＤＴ実施回数情報と、に基づいて、Ｌｏｇｇｅｄ  ＭＤＴ実施端末を選択する。このような端末選択処理の詳細については後述する。
【００８８】
ステップＳ１６０において、モビリティ管理装置ＭＭＥは、選択したＬｏｇｇｅｄ  ＭＤＴ実施端末に対し、Ｅ−ＵＴＲＡＮを介して、Ｌｏｇｇｅｄ  ＭＤＴを設定するためのＩｄｌｅ  ＭＤＴ  Ｃｏｎｆｉｇｕｒａｔｉｏｎを送信する。
【００８９】
ステップＳ１７０において、モビリティ管理装置ＭＭＥは、Ｌｏｇｇｅｄ  ＭＤＴ実施回数情報を更新する。詳細には、モビリティ管理装置ＭＭＥは、Ｉｄｌｅ  ＭＤＴ  Ｃｏｎｆｉｇｕｒａｔｉｏｎの送信先の無線端末ＵＥ、すなわち、Ｌｏｇｇｅｄ  ＭＤＴを実施した無線端末ＵＥのＩＭＳＩに対応するＬｏｇｇｅｄ  ＭＤＴ実施回数をインクリメント（１を加算）する。
【００９０】
図７は、第１実施形態に係る端末選択処理、すなわち図６のステップＳ１５０の処理フロー図である。
【００９１】
図７に示すように、ステップＳ１５１Ａにおいて、モビリティ管理装置ＭＭＥの制御部２３０は、記憶部２２０に記憶されている在圏履歴情報に基づいて、複数の無線端末Ａ〜ＤのＩＭＳＩ毎に、測定対象エリアのＴＡＩに対応するＴＡについての総在圏時間を求め、測定対象エリアでの総在圏時間の長い順に複数の無線端末Ａ〜ＤのＩＭＳＩを並べ替える（ソートする）。すなわち、過去に測定対象エリアに在圏した時間が長い順に、複数の無線端末Ａ〜ＤのＩＭＳＩを並べ替える（ソートする）。
【００９２】
ステップＳ１５２Ａにおいて、モビリティ管理装置ＭＭＥの制御部２３０は、ソート後のＩＭＳＩのリストと、記憶部２２０に記憶されているＬｏｇｇｅｄ  ＭＤＴ実施回数情報とに基づいて、Ｌｏｇｇｅｄ  ＭＤＴ実施端末を選択する。例えば、ソート後のＩＭＳＩのリストの上位Ｎ個のＩＭＳＩのうち、対応するＬｏｇｇｅｄ  ＭＤＴ実施回数が最も少ないＩＭＳＩを有する無線端末ＵＥを、Ｌｏｇｇｅｄ  ＭＤＴ実施端末として選択する。あるいは、ソート後のＩＭＳＩのリストの最上位から順に、対応するＬｏｇｇｅｄ  ＭＤＴ実施回数が閾値未満であるか否かを判定し、Ｌｏｇｇｅｄ  ＭＤＴ実施回数が閾値未満であると判定したＩＭＳＩを有する無線端末ＵＥを、Ｌｏｇｇｅｄ  ＭＤＴ実施端末として選択する。
【００９３】
なお、処理フローにおいては、測定対象エリアをＴＡ単位で指定する一例を説明したが、測定対象エリアをセル単位で指定する場合には、セルとＴＡとを対応付けたテーブルを別途保持しておき、測定対象セルを含むＴＡを測定対象エリアとすればよい。
【００９４】
図８は、Ｌｏｇｇｅｄ  ＭＤＴ実施時の動作シーケンス図である。ここでは、図６のステップＳ１６０以降における無線端末ＵＥの動作を主として説明する。
【００９５】
図８に示すように、ステップＳ１８１において、無線端末ＵＥは、Ｉｄｌｅ  ＭＤＴ  ＣｏｎｆｉｇｕｒａｔｉｏｎをＥ−ＵＴＲＡＮから受信する。無線端末ＵＥは、Ｉｄｌｅ  ＭＤＴ  Ｃｏｎｆｉｇｕｒａｔｉｏｎを受信すると、Ｉｄｌｅ  ＭＤＴ  Ｃｏｎｆｉｇｕｒａｔｉｏｎに含まれる各パラメータを記憶する。これらのパラメータは、上述したように、測定対象、測定トリガ、測定対象エリア、及び測定期間を含む。測定対象エリアとしては、Ｌｏｇｇｅｄ  ＭＤＴ実施端末を選択する際に基準となった測定対象エリアが設定される。また、無線端末ＵＥは、パラメータ設定時に、指定された測定期間を計時するためのタイマを起動する。
【００９６】
ステップＳ１８２において、無線端末ＵＥは、接続状態からアイドル状態に移行する。
【００９７】
ステップＳ１８３において、無線端末ＵＥは、アイドル状態であって、指定された測定対象エリアに在圏している間、指定された測定期間内でロギング（測定及び記録）を実行する。
【００９８】
ステップＳ１８４において、無線端末ＵＥは、Ｅ−ＵＴＲＡＮに含まれる基地局ｅＮＢとの接続処理を行う。
【００９９】
ステップＳ１８５において、無線端末ＵＥは、アイドル状態から接続状態に移行する。
【０１００】
ステップＳ１８６において、無線端末ＵＥは、アイドル状態から接続状態への移行が完了したことを示すメッセージであるＲＲＣ  Ｃｏｎｎｅｃｔｉｏｎ  Ｓｅｔｕｐ  ＣｏｍｐｌｅｔｅをＥ−ＵＴＲＡＮに送信する。その際、無線端末ＵＥは、測定データを保持していることを示す１ビットの情報（Ｉｎｄｉｃａｔｉｏｎ）をＲＲＣ  Ｃｏｎｎｅｃｔｉｏｎ  Ｓｅｔｕｐ  Ｃｏｍｐｌｅｔｅに含めて送信する。
【０１０１】
ステップＳ１８７において、Ｅ−ＵＴＲＡＮは、測定データを収集すると決定した場合に、無線端末ＵＥが保持している測定データを送信するよう要求するためのメッセージであるＵＥ  Ｉｎｆｏｒｍａｔｉｏｎ  Ｒｅｑｕｅｓｔを無線端末ＵＥに送信する。
【０１０２】
ステップＳ１８８において、無線端末ＵＥは、Ｅ−ＵＴＲＡＮからＵＥ  Ｉｎｆｏｒｍａｔｉｏｎ  Ｒｅｑｕｅｓｔを受信したことに応じて、保持している測定データを含んだメッセージであるＵＥ  Ｉｎｆｏｒｍａｔｉｏｎ  ＲｅｓｐｏｎｓｅをＥ−ＵＴＲＡＮに送信する。
【０１０３】
（第１実施形態の効果）
以上説明したように、本実施形態によれば、在圏履歴情報に基づいて、測定対象エリアに在圏する可能性が高い無線端末ＵＥ、すなわち、測定対象エリアについての測定データが得られる可能性の高い無線端末ＵＥをＬｏｇｇｅｄ  ＭＤＴ実施端末として選択できる。したがって、測定対象エリアにおける測定データを効果的に収集できる。
【０１０４】
また、本実施形態によれば、既存のシグナリングの一つであるＴＡＵ  Ｒｅｑｕｅｓｔを利用して在圏履歴情報を記憶（更新）できるため、在圏履歴情報を記憶するための新たなシグナリング（すなわち、オーバーヘッド）が生じることを防止できる。
【０１０５】
さらに、本実施形態によれば、Ｌｏｇｇｅｄ  ＭＤＴによる測定を実施した回数が少ない無線端末ＵＥ、すなわち、Ｌｏｇｇｅｄ  ＭＤＴよる負荷が相対的に低い無線端末ＵＥをＬｏｇｇｅｄ  ＭＤＴ実施端末として選択できるため、無線端末ＵＥ間（ユーザ間）の公平性を高めることができる。
【０１０６】
［第１実施形態の第１変更例］
上述した第１実施形態に係る端末選択処理（ステップＳ１５０）は以下のように変更してもよい。
【０１０７】
図９は、本変更例に係る端末選択処理の処理フロー図である。
【０１０８】
図９に示すように、ステップＳ１５１Ｂにおいて、モビリティ管理装置ＭＭＥの制御部２３０は、記憶部２２０に記憶されている在圏履歴情報に基づいて、複数の無線端末Ａ〜ＤのＩＭＳＩ毎に、測定対象エリアのＴＡＩに対応するＴＡについての総在圏時間を求め、測定対象エリアでの総在圏時間の最も長いＩＭＳＩを有する無線端末ＵＥをＬｏｇｇｅｄ  ＭＤＴ実施端末として選択する。
【０１０９】
ステップＳ１５２Ｂにおいて、モビリティ管理装置ＭＭＥの制御部２３０は、記憶部２２０に記憶されているＬｏｇｇｅｄ  ＭＤＴ実施回数情報に基づいて、Ｌｏｇｇｅｄ  ＭＤＴ実施端末に対して設定する測定期間を決定する。詳細には、Ｌｏｇｇｅｄ  ＭＤＴ実施端末に対応するＬｏｇｇｅｄ  ＭＤＴ実施回数が所定数よりも多い場合には、測定期間を標準値よりも短縮して設定する。
【０１１０】
このように、本変更例によれば、Ｌｏｇｇｅｄ  ＭＤＴを実施した回数が多い無線端末ＵＥ、すなわち、Ｌｏｇｇｅｄ  ＭＤＴよる負荷が相対的に高い無線端末ＵＥに対する測定期間を短縮することによって、無線端末ＵＥ間（ユーザ間）の公平性を高めることができる。
【０１１１】
［第１実施形態の第２変更例］
上述した第１実施形態に係る端末選択処理（ステップＳ１５０）は以下のように変更してもよい。
【０１１２】
本変更例においては、モビリティ管理装置ＭＭＥは、上述したＬｏｇｇｅｄ  ＭＤＴ実施回数情報に代えて、Ｌｏｇｇｅｄ  ＭＤＴ実施期間情報を管理する。Ｌｏｇｇｅｄ  ＭＤＴ実施期間情報とは、複数の無線端末Ａ〜ＤのＩＭＳＩ毎に、Ｌｏｇｇｅｄ  ＭＤＴを実施した期間を対応付けたものである。
【０１１３】
詳細には、モビリティ管理装置ＭＭＥの制御部２３０は、ある無線端末ＵＥをＬｏｇｇｅｄ  ＭＤＴ実施端末として決定してＬｏｇｇｅｄ  ＭＤＴを実施した場合に、当該無線端末ＵＥのＩＭＳＩに対応付けて、当該無線端末ＵＥに対して設定した測定期間を加算して記憶する。また、Ｌｏｇｇｅｄ  ＭＤＴ実施期間はカウントに限りがあるため、制御部２３０は、ある一定期間（１日間又は１週間）を経過したタイミング、又はＬｏｇｇｅｄ  ＭＤＴを実施した無線端末ＵＥがある程度一巡したタイミングで、Ｌｏｇｇｅｄ  ＭＤＴ実施期間情報を削除することが好ましい。
【０１１４】
図１０は、本変更例に係る端末選択処理の処理フロー図である。
【０１１５】
図１０に示すように、ステップＳ１５１Ｃの処理は、上述した第１実施形態と同様である。
【０１１６】
ステップＳ１５２Ｃにおいて、モビリティ管理装置ＭＭＥの制御部２３０は、ソート後のＩＭＳＩのリストと、記憶部２２０に記憶されているＬｏｇｇｅｄ  ＭＤＴ実施期間情報とに基づいて、Ｌｏｇｇｅｄ  ＭＤＴ実施端末を選択する。例えば、ソート後のＩＭＳＩのリストの上位Ｎ個のＩＭＳＩのうち、対応するＬｏｇｇｅｄ  ＭＤＴ実施期間が最も短いＩＭＳＩを有する無線端末ＵＥを、Ｌｏｇｇｅｄ  ＭＤＴ実施端末として選択する。あるいは、ソート後のＩＭＳＩのリストの最上位から順に、対応するＬｏｇｇｅｄ  ＭＤＴ実施期間が閾値未満であるか否かを判定し、Ｌｏｇｇｅｄ  ＭＤＴ実施期間が閾値未満であると判定したＩＭＳＩを有する無線端末ＵＥを、Ｌｏｇｇｅｄ  ＭＤＴ実施端末として選択する。
【０１１７】
このように、本変更例によれば、Ｌｏｇｇｅｄ  ＭＤＴによる測定処理を実施した期間が短い無線端末ＵＥ、すなわち、Ｌｏｇｇｅｄ  ＭＤＴよる負荷が相対的に低い無線端末ＵＥをＬｏｇｇｅｄ  ＭＤＴ実施端末として選択できるため、無線端末ＵＥ間（ユーザ間）の公平性を高めることができる。
【０１１８】
［第１実施形態の第３変更例］
上述した第１実施形態に係る端末選択処理（ステップＳ１５０）は以下のように変更してもよい。
【０１１９】
本変更例においては、上述した第１実施形態の第２変更例と同様に、モビリティ管理装置ＭＭＥは、上述したＬｏｇｇｅｄ  ＭＤＴ実施回数情報に代えて、Ｌｏｇｇｅｄ  ＭＤＴ実施期間情報を管理する。
【０１２０】
図１１は、本変更例に係る端末選択処理の処理フロー図である。
【０１２１】
図１１に示すように、ステップＳ１５１Ｄにおいて、モビリティ管理装置ＭＭＥの制御部２３０は、記憶部２２０に記憶されている在圏履歴情報に基づいて、複数の無線端末Ａ〜ＤのＩＭＳＩ毎に、測定対象エリアのＴＡＩに対応するＴＡについての総在圏時間を求め、測定対象エリアでの総在圏時間の最も長いＩＭＳＩを有する無線端末ＵＥをＬｏｇｇｅｄ  ＭＤＴ実施端末として選択する。
【０１２２】
ステップＳ１５２Ｄにおいて、モビリティ管理装置ＭＭＥの制御部２３０は、記憶部２２０に記憶されているＬｏｇｇｅｄ  ＭＤＴ実施期間情報に基づいて、Ｌｏｇｇｅｄ  ＭＤＴ実施端末に対して設定する測定期間を決定する。詳細には、Ｌｏｇｇｅｄ  ＭＤＴ実施端末に対応するＬｏｇｇｅｄ  ＭＤＴ実施期間が所定期間よりも長い場合には、測定期間を標準値よりも短縮して設定する。
【０１２３】
このように、本変更例によれば、Ｌｏｇｇｅｄ  ＭＤＴによる測定処理を実施した期間が長い無線端末ＵＥ、すなわち、Ｌｏｇｇｅｄ  ＭＤＴよる負荷が相対的に高い無線端末ＵＥに対する測定期間を短縮することによって、無線端末ＵＥ間（ユーザ間）の公平性を高めることができる。
【０１２４】
［第２実施形態］
上述した第１実施形態及びその変更例においては、Ｌｏｇｇｅｄ  ＭＤＴ実施端末の選択をモビリティ管理装置ＭＭＥで行っていたが、第２実施形態においては、Ｌｏｇｇｅｄ  ＭＤＴ実施端末の選択を保守監視装置ＯＡＭで行う。
【０１２５】
すなわち、本実施形態において保守監視装置ＯＡＭは、Ｌｏｇｇｅｄ  ＭＤＴ実施端末を複数の無線端末ＵＥの中から選択するネットワーク装置に相当する。
【０１２６】
以下の第２実施形態においては、上述した第１実施形態との相違点を主として説明し、重複する説明を省略する。
【０１２７】
図１２は、第２実施形態に係る保守監視装置ＯＡＭのブロック図である。
【０１２８】
図１２に示すように、保守監視装置ＯＡＭは、ネットワーク通信部３１０と、記憶部３２０と、制御部３３０とを有する。
【０１２９】
ネットワーク通信部３１０は、モビリティ管理装置ＭＭＥとの通信を行う。
【０１３０】
記憶部３２０は、例えばメモリを用いて構成され、保守監視装置ＯＡＭの制御等に用いられる各種の情報を記憶する。本実施形態では、記憶部３２０は、Ｌｏｇｇｅｄ  ＭＤＴ実施回数情報（図５参照）を記憶する。
【０１３１】
制御部３３０は、例えばＣＰＵを用いて構成され、モビリティ管理装置ＭＭＥが備える各種の機能を制御する。制御部３３０は、Ｌｏｇｇｅｄ  ＭＤＴ実施回数情報を管理する。詳細には、制御部３３０は、ある無線端末ＵＥをＬｏｇｇｅｄ  ＭＤＴ実施端末として決定してＬｏｇｇｅｄ  ＭＤＴを実施した場合に、当該無線端末ＵＥのＩＭＳＩに対応するＬｏｇｇｅｄ  ＭＤＴ実施回数をインクリメント（１を加算）する。また、Ｌｏｇｇｅｄ  ＭＤＴ実施回数はカウントに限りがあるため、制御部３３０は、ある一定期間（１日間又は１週間）を経過したタイミング、又はＬｏｇｇｅｄ  ＭＤＴを実施した無線端末ＵＥがある程度一巡したタイミングで、Ｌｏｇｇｅｄ  ＭＤＴ実施回数情報を削除することが好ましい。
【０１３２】
制御部３３０は、ある測定対象エリアに対してＬｏｇｇｅｄ  ＭＤＴを実施すると決定した場合に、当該測定対象エリアと、モビリティ管理装置ＭＭＥに記憶されている在圏履歴情報と、記憶部３２０に記憶されているＬｏｇｇｅｄ  ＭＤＴ実施回数情報とに基づいて、Ｌｏｇｇｅｄ  ＭＤＴ実施端末を選択する。詳細には、制御部３３０は、複数の無線端末Ａ〜Ｄのうち、測定対象エリアに対応する在圏時間が相対的に長い無線端末ＵＥであって、Ｌｏｇｇｅｄ  ＭＤＴを実施した回数が相対的に少ない無線端末ＵＥを、Ｌｏｇｇｅｄ  ＭＤＴ実施端末として選択する。
【０１３３】
制御部３３０は、Ｌｏｇｇｅｄ  ＭＤＴ実施端末を選択すると、当該Ｌｏｇｇｅｄ  ＭＤＴ実施端末に対し、Ｌｏｇｇｅｄ  ＭＤＴを設定するためのＩｄｌｅ  ＭＤＴ  Ｃｏｎｆｉｇｕｒａｔｉｏｎを送信するようモビリティ管理装置ＭＭＥに指示する。
【０１３４】
図１３は、第２実施形態においてＬｏｇｇｅｄ  ＭＤＴ実施端末を選択する動作に係る動作シーケンス図である。
【０１３５】
図１３に示すように、ステップＳ２１０〜ステップＳ２４０の各処理は、上述した第１実施形態におけるステップＳ１１０〜ステップＳ１４０の各処理と同様である。
【０１３６】
ステップＳ２５１において、保守監視装置ＯＡＭは、ある測定対象エリアに対してＬｏｇｇｅｄ  ＭＤＴを実施すると決定した場合に、在圏履歴情報を送信するよう要求するための在圏履歴情報要求を１又は複数のモビリティ管理装置ＭＭＥに送信する。モビリティ管理装置ＭＭＥは、在圏履歴情報要求を受信する。
【０１３７】
ステップＳ２５２において、モビリティ管理装置ＭＭＥは、在圏履歴情報要求を受信したことに応じて、記憶している在圏履歴情報を保守監視装置ＯＡＭに送信する。
【０１３８】
ステップＳ２６０において、保守監視装置ＯＡＭは、測定対象エリアと、モビリティ管理装置ＭＭＥから受信した在圏履歴情報と、記憶部３２０に記憶されているＬｏｇｇｅｄ  ＭＤＴ実施回数情報とに基づいて、Ｌｏｇｇｅｄ  ＭＤＴ実施端末を選択する。このような端末選択処理は、第１実施形態及びその変更例に係る端末選択処理と同様の処理手順であるため、説明を省略する。
【０１３９】
ステップＳ２７０において、保守監視装置ＯＡＭは、選択したＬｏｇｇｅｄ  ＭＤＴ実施端末に対してＬｏｇｇｅｄ  ＭＤＴを設定するよう指示するＬｏｇｇｅｄ  ＭＤＴ設定指示をモビリティ管理装置ＭＭＥに送信する。Ｌｏｇｇｅｄ  ＭＤＴ設定指示は、選択したＬｏｇｇｅｄ  ＭＤＴ実施端末のＩＭＳＩと、Ｌｏｇｇｅｄ  ＭＤＴの各パラメータ（測定対象エリア等）を指定する情報とを含む。
【０１４０】
ステップＳ２８０において、モビリティ管理装置ＭＭＥは、保守監視装置ＯＡＭから受信したＬｏｇｇｅｄ  ＭＤＴ設定指示に応じて、Ｌｏｇｇｅｄ  ＭＤＴ実施端末に対し、Ｅ−ＵＴＲＡＮを介して、Ｌｏｇｇｅｄ  ＭＤＴを設定するためのＩｄｌｅ  ＭＤＴ  Ｃｏｎｆｉｇｕｒａｔｉｏｎを送信する。
【０１４１】
ステップＳ２９０において、保守監視装置ＯＡＭは、Ｌｏｇｇｅｄ  ＭＤＴ実施回数情報を更新する。詳細には、保守監視装置ＯＡＭは、Ｉｄｌｅ  ＭＤＴ  Ｃｏｎｆｉｇｕｒａｔｉｏｎの送信先の無線端末ＵＥ、すなわち、Ｌｏｇｇｅｄ  ＭＤＴを実施した無線端末ＵＥのＩＭＳＩに対応するＬｏｇｇｅｄ  ＭＤＴ実施回数をインクリメント（１を加算）する。
【０１４２】
なお、Ｌｏｇｇｅｄ  ＭＤＴ実施時の動作シーケンスについては、上述した第１実施形態と同様である。
【０１４３】
以上説明したように、本実施形態によれば、Ｌｏｇｇｅｄ  ＭＤＴ実施端末の選択を保守監視装置ＯＡＭで行うことによって、複数のモビリティ管理装置ＭＭＥのそれぞれの配下の基地局ｅＮＢに跨って、無線端末ＵＥが広範囲に移動する場合であっても、Ｌｏｇｇｅｄ  ＭＤＴ実施端末を適切に選択できる。
【０１４４】
［第３実施形態］
上述した第１実施形態及びその変更例においては、在圏履歴情報をモビリティ管理装置ＭＭＥで記憶していたが、本実施形態においては、在圏履歴情報を各無線端末ＵＥで記憶する。
【０１４５】
本実施形態においては、Ｌｏｇｇｅｄ  ＭＤＴ実施端末の選択については、第１実施形態と同様にモビリティ管理装置ＭＭＥで行う。ただし、上述した第２実施形態と同様に、Ｌｏｇｇｅｄ  ＭＤＴ実施端末の選択を保守監視装置ＯＡＭで行ってもよい。
【０１４６】
以下の第３実施形態においては、上述した第１実施形態との相違点を主として説明し、重複する説明を省略する。
【０１４７】
図１４は、第３実施形態においてＬｏｇｇｅｄ  ＭＤＴ実施端末を選択する動作に係る動作シーケンス図である。
【０１４８】
図１４に示すように、ステップＳ３１０及びステップＳ３２０の各処理は、上述したステップＳ１１０及びステップＳ１２０の各処理と同様である。
【０１４９】
ステップＳ３３０において、モビリティ管理装置ＭＭＥは、受信したＴＡＵ  Ｒｅｑｕｅｓｔに含まれるＩＭＳＩ及びＴＡＩを対応付けて記憶する。
【０１５０】
ステップＳ３４０において、モビリティ管理装置ＭＭＥは、ＴＡＵ  Ｒｅｑｕｅｓｔを受理した旨のメッセージであるＴＡＵ  Ａｃｃｅｐｔを、Ｅ−ＵＴＲＡＮを介して無線端末ＵＥに送信する。無線端末ＵＥは、ＴＡＵ  Ａｃｃｅｐｔを受信する。
【０１５１】
ステップＳ３５０において、無線端末ＵＥは、送信したＴＡＵ  Ｒｅｑｕｅｓｔに含まれるＩＭＳＩ及びＴＡＩを、時間情報と対応付けて記憶することによって、無線端末ＵＥに記憶されている在圏履歴情報を更新する。なお、本実施形態に係る在圏履歴情報は、第１実施形態のようにＴＡ単位で管理されている場合に限らず、セル単位で管理されてもよい。
【０１５２】
ステップＳ３１０〜ステップＳ３５０の処理が繰り返されることによって、各無線端末ＵＥに在圏履歴情報が蓄積され、各無線端末ＵＥの移動パターン（すなわち、ユーザの行動パターン）が把握可能になる。
【０１５３】
ステップＳ３５１において、モビリティ管理装置ＭＭＥは、ある測定対象エリアに対してＬｏｇｇｅｄ  ＭＤＴを実施すると決定した場合、又は、ある測定対象エリアに対してＬｏｇｇｅｄ  ＭＤＴを実施するよう保守監視装置ＯＡＭから指示された場合に、在圏履歴情報の送信を要求するためのメッセージである在圏履歴情報要求を、Ｅ−ＵＴＲＡＮを介して各無線端末ＵＥに送信する。
【０１５４】
ステップＳ３５２において、在圏履歴情報要求を受信した各無線端末ＵＥは、自端末に記憶されている在圏履歴情報を、Ｅ−ＵＴＲＡＮを介してモビリティ管理装置ＭＭＥに送信する。モビリティ管理装置ＭＭＥは、各無線端末ＵＥからの在圏履歴情報を受信する。
【０１５５】
ステップＳ３６０において、モビリティ管理装置ＭＭＥは、測定対象エリアと、各無線端末ＵＥから収集した在圏履歴情報と、モビリティ管理装置ＭＭＥが管理しているＬｏｇｇｅｄ  ＭＤＴ実施回数情報とに基づいて、Ｌｏｇｇｅｄ  ＭＤＴ実施端末を選択する。このような端末選択処理は、第１実施形態及びその変更例に係る端末選択処理と同様の処理手順であるため、説明を省略する。なお、本実施形態においては、無線端末ＵＥが在圏履歴情報をセル単位で管理している場合には、測定対象エリアをセル単位で指定してもよい。
【０１５６】
ステップＳ３８０において、モビリティ管理装置ＭＭＥは、選択したＬｏｇｇｅｄ  ＭＤＴ実施端末に対し、Ｅ−ＵＴＲＡＮを介して、Ｌｏｇｇｅｄ  ＭＤＴを設定するためのＩｄｌｅ  ＭＤＴ  Ｃｏｎｆｉｇｕｒａｔｉｏｎを送信する。
【０１５７】
ステップＳ３９０において、モビリティ管理装置ＭＭＥは、Ｌｏｇｇｅｄ  ＭＤＴ実施回数情報を更新する。詳細には、モビリティ管理装置ＭＭＥは、Ｉｄｌｅ  ＭＤＴ  Ｃｏｎｆｉｇｕｒａｔｉｏｎの送信先の無線端末ＵＥ、すなわち、Ｌｏｇｇｅｄ  ＭＤＴを実施した無線端末ＵＥのＩＭＳＩに対応するＬｏｇｇｅｄ  ＭＤＴ実施回数をインクリメント（１を加算）する。
【０１５８】
なお、Ｌｏｇｇｅｄ  ＭＤＴ実施時の動作シーケンスについては、上述した第１実施形態と同様である。
【０１５９】
以上説明したように、本実施形態によれば、無線端末ＵＥ側で在圏履歴情報を記憶することによって、ネットワーク側の負荷を軽減できる。また、ネットワーク側で在圏履歴情報を記憶する場合と比較して、例えばセル単位といったように、より細かなエリア単位で在圏履歴情報を記憶できる。
【０１６０】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１６１】
例えば、上述した各実施形態では、３ＧＰＰで仕様が策定されているＬＴＥに基づいて構成される移動通信システムを例に説明したが、ＬＴＥに限らず、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等の他の移動通信システムに対して本発明を適用してもよい。
【０１６２】
このように本発明は、ここでは記載していない様々な実施形態等を包含するということを理解すべきである。
【符号の説明】
【０１６３】
１  移動通信システム、１０１  アンテナ、１１０  無線通信部、１２０  受信機、１３０  記憶部、１４０  制御部、１５０  ＵＳＩＭカード、１６０  バッテリ、２１０  ネットワーク通信部、２２０  記憶部、２３０  制御部、３１０  ネットワーク通信部、３２０  記憶部、３３０  制御部、ＵＥ  無線端末、ｅＮＢ  基地局、ＭＭＥ  モビリティ管理装置、ＯＡＭ  保守監視装置
【図１】
0005759283.tif 000002
【図２】
0005759283.tif 000003
【図３】
0005759283.tif 000004
【図４】
0005759283.tif 000005
【図５】
0005759283.tif 000006
【図６】
0005759283.tif 000007
【図７】
0005759283.tif 000008
【図８】
0005759283.tif 000009
【図９】
0005759283.tif 000010
【図１０】
0005759283.tif 000011
【図１１】
0005759283.tif 000012
【図１２】
0005759283.tif 000013
【図１３】
0005759283.tif 000014
【図１４】
0005759283.tif 000015